(57)【特許請求の範囲】
【請求項１】
タイヤのサイドウォール部外面をサイド型部に当接させると共に、前記タイヤのトレッド部外面をタイヤ周方向に分割されたセクターの組み合わせからなるトレッド型部に当接させて加硫するタイヤ成形方法において、
加硫後に前記セクターをタイヤ径方向外側に変位させるに際し、前記セクターの前記サイド型部との嵌合面付近の内周面をタイヤに係合させ、前記嵌合面に跨がったタイヤ外面部分を変形させて前記サイド型部から剥離させるようにし、
前記セクターの内周面とタイヤとの係合の度合を前記セクターの周方向中央を境にした周方向両側で互いに異ならせ、加硫後に前記セクターをタイヤ径方向外側に変位させたときに、前記嵌合面に跨がったタイヤ外面部分に捩り力を作用させることを特徴とするタイヤ成形方法。
【請求項２】
タイヤのサイドウォール部外面をサイド型部に当接させると共に、前記タイヤのトレッド部外面をタイヤ周方向に分割されたセクターの組み合わせからなるトレッド型部に当接させて加硫するタイヤ成形方法において、
加硫後に前記セクターをタイヤ径方向外側に変位させるに際し、前記セクターの前記サイド型部との嵌合面付近の内周面をタイヤに係合させ、前記嵌合面に跨がったタイヤ外面部分を変形させて前記サイド型部から剥離させるようにし、
前記セクターの内周面とタイヤとの係合の度合をタイヤ周方向に沿って順々に小さくし、加硫後に前記セクターをタイヤ径方向外側に変位させたときに、前記嵌合面に跨がったタイヤ外面部分にタイヤ周方向に沿って回転力を作用させることを特徴とするタイヤ成形方法。
【請求項３】
タイヤのサイドウォール部外面を成形するサイド型部と、型締め時に前記サイド型部のタイヤ径方向外側に嵌合され、前記タイヤのトレッド部外面を成形するトレッド型部とを備え、前記トレッド型部がタイヤ周方向に分割されたセクターの組み合わせからなり、前記セクターの各々がタイヤ径方向に変位可能に構成されているタイヤ成形型において、
前記セクターの前記サイド型部との嵌合面付近の内周面にタイヤと係合する係合要素を設け、加硫後に前記セクターをタイヤ径方向外側に変位させるに際し、前記嵌合面に跨がったタイヤ外面部分を変形させて前記サイド型部から剥離可能に構成し、
前記係合要素がタイヤ側に突出した凸要素であり、複数個の前記凸要素が前記セクターの移動方向に配列されていることを特徴とするタイヤ成形型。
【請求項４】
タイヤのサイドウォール部外面を成形するサイド型部と、型締め時に前記サイド型部のタイヤ径方向外側に嵌合され、前記タイヤのトレッド部外面を成形するトレッド型部とを備え、前記トレッド型部がタイヤ周方向に分割されたセクターの組み合わせからなり、前記セクターの各々がタイヤ径方向に変位可能に構成されているタイヤ成形型において、
前記セクターの前記サイド型部との嵌合面付近の内周面にタイヤと係合する係合要素を設け、加硫後に前記セクターをタイヤ径方向外側に変位させるに際し、前記嵌合面に跨がったタイヤ外面部分を変形させて前記サイド型部から剥離可能に構成し、
前記係合要素の個数又はサイズを前記セクターの周方向中央を境にした周方向両側で互いに異ならせていることを特徴とするタイヤ成形型。
【請求項５】
タイヤのサイドウォール部外面を成形するサイド型部と、型締め時に前記サイド型部のタイヤ径方向外側に嵌合され、前記タイヤのトレッド部外面を成形するトレッド型部とを備え、前記トレッド型部がタイヤ周方向に分割されたセクターの組み合わせからなり、前記セクターの各々がタイヤ径方向に変位可能に構成されているタイヤ成形型において、
前記セクターの前記サイド型部との嵌合面付近の内周面にタイヤと係合する係合要素を設け、加硫後に前記セクターをタイヤ径方向外側に変位させるに際し、前記嵌合面に跨がったタイヤ外面部分を変形させて前記サイド型部から剥離可能に構成し、
前記係合要素の個数又はサイズをタイヤ周方向に沿ってセクター毎に順々に小さくしていることを特徴とするタイヤ成形型。
【発明の詳細な説明】
【技術分野】
【０００１】
本発明は、タイヤを加硫する工程を含むタイヤ成形方法と、タイヤを加硫成形するためのタイヤ成形型とに関する。
【背景技術】
【０００２】
一般に、セグメンテッドタイプのタイヤ成形型は、図１３に示すように、タイヤのトレッド部外面を成形するトレッド型部１１と、タイヤのサイドウォール部外面を成形するサイド型部１２，１３とを備える。トレッド型部１１はタイヤ周方向に分割された複数のセクターで構成され、各セクターは、型締め時には互いに寄り集まって環状をなし、型開き時にはタイヤ径方向外側に変位して相互に離間する。
【０００３】
このようなタイヤ成形型では、加硫後に型開きする際に、タイヤがトレッド型部１１に対しては円滑に離型するものの、サイド型部１２又はサイド型部１３に密着して離型が困難になる場合があった。特に上方に配置されるサイド型部１３にタイヤが密着した場合には、サイド型部１３の上昇に伴ってタイヤが持ち上げられるため、作業者が人力で引っ張り外す必要が生じ、作業能率が大きく損なわれるという問題があった。
【０００４】
上記の問題を解決すべく、下記特許文献１では、上側モールドリングの加硫時の拡張を外側から支えると共に、型開き動作の初期に上側モールドリングを下降してタイヤを上型モールド（上方に配置されたサイド型部）から剥離する手法が提案されている。しかし、この手法は、タイヤ成形型の開閉機構を改良するものであり、既存のタイヤ成形型に適用するには大幅な改造が避けられない。実用上、既存のタイヤ成形型に対しても簡易に適用できる手法が強く望まれる。
【特許文献１】特開平６−２１８７３４号公報
【発明の開示】
【発明が解決しようとする課題】
【０００５】
本発明は上記実情に鑑みてなされたものであり、その目的は、型開き時にタイヤをサイド型部から円滑に離型できるようにしたタイヤ成形方法及びタイヤ成形型を提供することにある。
【課題を解決するための手段】
【０００６】
上記目的は、下記の如き本発明により達成できる。即ち、本発明に係るタイヤ成形方法は、タイヤのサイドウォール部外面をサイド型部に当接させると共に、前記タイヤのトレッド部外面をタイヤ周方向に分割されたセクターの組み合わせからなるトレッド型部に当接させて加硫するタイヤ成形方法において、加硫後に前記セクターをタイヤ径方向外側に変位させるに際し、前記セクターの前記サイド型部との嵌合面付近の内周面をタイヤに係合させ、前記嵌合面に跨がったタイヤ外面部分を変形させて前記サイド型部から剥離させるようにしたものである。
【０００７】
本発明のタイヤ成形方法では、加硫後に型開きする際のセクターの変位を利用して、嵌合面に跨がったタイヤ外面部分を変形させ、該タイヤ外面部分をサイド型部から剥離させるようにする。この剥離によって、嵌合面付近ではタイヤ外面部分とサイド型部との間に空気が侵入し、隙間が生じて密着状態が解除される。そのため、サイド型部をタイヤから離間させるときには、その隙間を取っ掛かりとして、タイヤをサイド型部から容易且つ円滑に離型することができる。
【０００８】
本発明のタイヤ成形方法における一つの態様では、前記セクターの内周面とタイヤとの係合の度合を前記セクターの周方向両側で互いに異ならせ、加硫後に前記セクターをタイヤ径方向外側に変位させたときに、前記嵌合面に跨がったタイヤ外面部分に捩り力を作用させる。
【０００９】
これにより、タイヤ外面部分の変形量を大きくして、サイド型部からの剥離を促進することができる。その結果、タイヤ外面部分の変形をセクターの周上で均一に発現する場合に比べて、タイヤ外面部分とサイド型部との密着状態をより円滑に解除できる。
【００１０】
本発明のタイヤ成形方法における別の態様では、前記セクターの内周面とタイヤとの係合の度合をタイヤ周方向に沿って順々に小さくし、加硫後に前記セクターをタイヤ径方向外側に変位させたときに、前記嵌合面に跨がったタイヤ外面部分にタイヤ周方向に沿って回転力を作用させる。
【００１１】
これによって、タイヤ外面部分のサイド型部からの剥離し易さがタイヤ周方向に沿って順々に小さくなるため、セクターをタイヤ径方向外側に変位させたときには、嵌合面付近にてタイヤ外面部分のサイド型部からの剥離がタイヤ周方向に沿って順次に発現される。その結果、環状に延びたタイヤ外面部分を一気に剥離する場合に比べて、タイヤ外面部分とサイド型部との密着状態をより円滑に解除できる。
【００１２】
また、本発明に係るタイヤ成形型は、タイヤのサイドウォール部外面を成形するサイド型部と、型締め時に前記サイド型部のタイヤ径方向外側に嵌合され、前記タイヤのトレッド部外面を成形するトレッド型部とを備え、前記トレッド型部がタイヤ周方向に分割されたセクターの組み合わせからなり、前記セクターの各々がタイヤ径方向に変位可能に構成されているタイヤ成形型において、前記セクターの前記サイド型部との嵌合面付近の内周面にタイヤと係合する係合要素を設け、加硫後に前記セクターをタイヤ径方向外側に変位させるに際し、前記嵌合面に跨がったタイヤ外面部分を変形させて前記サイド型部から剥離可能に構成したものである。
【００１３】
本発明のタイヤ成形型によれば、加硫後に型開きする際のセクターの変位を利用して、嵌合面に跨がったタイヤ外面部分をサイド型部から剥離できる。この剥離により、嵌合面付近ではタイヤ外面部分とサイド型部との間に空気が侵入し、隙間が生じて密着状態が解除される。そのため、サイド型部をタイヤから離間させるときには、その隙間を取っ掛かりとして、タイヤをサイド型部から容易且つ円滑に離型することができる。
【００１４】
本発明のタイヤ成形型における一つの態様では、係合要素がタイヤ側に突出した凸要素であり、複数個の凸要素をセクターの移動方向に配列している。これにより、係合要素による係合の回数を増やしてタイヤ外面部分を確実に変形させ、該タイヤ外面部分をサイド型部から効果的に剥離できる。なお、本発明では、係合要素として、凸要素のほか、反タイヤ側に窪んだ凹要素や、凸要素と凹要素との組み合わせを採用することが可能である。
【００１５】
本発明のタイヤ成形型における別の態様では、前記係合要素の個数又はサイズを前記セクターの周方向両側で互いに異ならせている。かかる構成によれば、タイヤ外面部分の変形量を大きくして、サイド型部からの剥離を促進することができる。その結果、タイヤ外面部分の変形をセクターの周上で均一に発現する場合に比べて、タイヤ外面部分とサイド型部との密着状態をより円滑に解除できる。なお、係合要素のサイズとしては、係合要素の幅や長さ、深さが挙げられる。
【００１６】
本発明のタイヤ成形型における更なる別の態様では、前記係合要素の個数又はサイズをタイヤ周方向に沿ってセクター毎に順々に小さくしている。かかる構成によれば、タイヤ外面部分のサイド型部からの剥離し易さがタイヤ周方向に沿って順々に小さくなるため、セクターをタイヤ径方向外側に変位させたときには、嵌合面付近にてタイヤ外面部分のサイド型部からの剥離がタイヤ周方向に沿って順次に発現される。その結果、環状に延びたタイヤ外面部分を一気に剥離する場合に比べて、タイヤ外面部分とサイド型部との密着状態をより円滑に解除できる。
【発明を実施するための最良の形態】
【００１７】
以下、本発明の実施の形態について図面を参照しながら説明する。本発明は、後述するような捩り力や回転力をタイヤ外面部分に作用させるタイヤ成形方法と、そのための構成を備えたタイヤ成形型（図９〜１２）と、係合要素によりタイヤ外面部分を確実に変形させるための構成を備えたタイヤ成形型（図６〜８）であるが、図１〜５において、その前提となる実施形態を予め説明する。図１は、本発明に係るタイヤ成形型の一例を概略的に示す縦断面図であり、型締め状態を示している。図１において、未加硫タイヤ（不図示）はタイヤ軸方向が上下になるようにセットされ、図１右側がタイヤ径方向内側、図１左側がタイヤ径方向外側となる。図２は、トレッド型部１の平面図である。
【００１８】
このタイヤ成形型（以下、単に「成形型」と称する場合がある。）は、タイヤのサイドウォール部外面を成形する一対のサイド型部２，３と、型締め時にサイド型部２，３のタイヤ径方向外側に嵌合され、タイヤのトレッド部外面を成形するトレッド型部１と、を備えたセグメンテッドモールドである。サイド型部２，３のタイヤ径方向内側にはビードリング４が設けられており、タイヤのビード部を固定可能に構成されている。
【００１９】
トレッド型部１は、図２に示すようにタイヤ周方向に分割されたセクター５の組み合わせからなり、セクター５の各々はタイヤ径方向に変位可能に構成されている。型締め状態では、各セクター５が互いに寄り集まり、端面同士を当接させて円環状に連なる。型開き状態では、各セクター５がタイヤ径方向外側に変位してサイド型部２，３から離間する。本実施形態では、トレッド型部１が７分割され、各セクター５の周長が略同等である例を示すが、本発明ではトレッド型部の分割数は特に制限されず、各セクターの周長が互いに異なっていても構わない。
【００２０】
トレッド型部１の素材としては、アルミニウムが例示される。このアルミニウムとは、純アルミ系の素材のみならず、アルミニウム合金を含む概念であり、例えばＡｌ−Ｃｕ系、Ａｌ−Ｍｇ系、Ａｌ−Ｍｇ−Ｓｉ系、Ａｌ−Ｚｎ−Ｍｇ系、Ａｌ−Ｍｎ系、Ａｌ−Ｓｉ系が挙げられる。また、サイド型部２，３の素材としては、鋼材が例示される。
【００２１】
トレッド型部１の背面側となる外周面には、セクター５毎にコンテナ２１が取り付けられている。コンテナ２１は、昇降自在に構成されたサイドプレート２３の下面に、タイヤ径方向に沿って摺動可能に取り付けられている。コーンリング２４は、コンテナ２１の外側斜面に設けられたレール２５に嵌合されており、サイドプレート２３に対して相対的に昇降自在に構成されている。
【００２２】
図１に示した型締め状態において、コーンリング２４を上昇させてコンテナ２１をタイヤ径方向外側に移動させると、各セクター５がタイヤ径方向外側に変位してサイド型部２，３から離間する。更にサイドプレート２３及びコンテナ２１を上昇させると、セクター５とサイド型部３が持ち上がって型開き状態に移行する。型開き状態から型締め状態への移行は、上記動作を逆に行えばよい。
【００２３】
図面には示していないが、成形型の内部にはブラダーと呼ばれるゴムバッグが設置されている。加硫成形時には、ブラダーをタイヤ径方向外側に膨張させることにより、タイヤの外面がトレッド型部１及びサイド型部２，３の内周面に押し当てられる。ブラダーに代えて剛性コアを使用することも可能であり、本発明はブラダー加硫にもコア加硫にも適用可能である。
【００２４】
図３は、図１に示す成形型の要部拡大図であり、セクター５のサイド型部３との嵌合面５ａの周辺（Ａ部分）を拡大して示している。セクター５の嵌合面５ａ付近の内周面には、タイヤと係合する係合要素が設けられている。図３の例では、係合要素として、タイヤ側に突出した凸要素である突起６が設けられている。この成形型は、加硫後にセクター５をタイヤ径方向外側に変位させるに際し、嵌合面５ａに跨がったタイヤ外面部分を変形させてサイド型部３から剥離可能に構成されている。
【００２５】
かかる成形型を用いてタイヤを加硫成形する方法は、次の通りである。まず、成形型に未加硫タイヤをセットして型締めする。次に、ブラダーを膨張させて、タイヤのサイドウォール部外面をサイド型部２，３の内周面に当接させると共に、トレッド部外面をトレッド型部１の内周面に当接させる。そして、成形型を所定の加硫温度にて加熱保持し、内部のタイヤに加硫成形を施す。その後、成形型を型開きして加硫したタイヤを取り出す。
【００２６】
既述のように、型開き動作では、まず、各セクター５がタイヤ径方向外側に変位してサイド型部２，３から離れ、その後にセクター５及びサイド型部３が上昇してサイド型部２から離れる。したがって、加硫後のタイヤは、まずトレッド型部１から離型し、その次にサイド型部３から離型する。この成形型では、セクター５がタイヤ径方向外側に変位する際に、嵌合面５ａに跨ったタイヤ外面部分とサイド型部３との剥離が行われ、それによりサイド型部３が上昇する際にタイヤが容易且つ円滑に離型する。
【００２７】
即ち、セクター５がタイヤ径方向外側に変位する際には、図４に示すように、セクター５の嵌合面５ａ付近の内周面が突起６にてタイヤＴに係合し、嵌合面５ａに跨ったタイヤ外面部分Ｔｓを強制的に弾性変形させ、タイヤ外面部分Ｔｓをサイド型部３の内周面から剥離させる。この剥離によって、タイヤ外面部分Ｔｓとサイド型部３との間に空気が侵入し、隙間が生じて密着状態が解除される。
【００２８】
セクター５が更に外側に変位すると、図５に示すように係合が外れ、タイヤ外面部分Ｔｓが復元する。しかし、タイヤ外面部分Ｔｓでは既にサイド型部３との密着状態が解除されていることから、サイド型部３を上昇させたときには、タイヤ外面部分Ｔｓとサイド型部３との間の隙間が取っ掛かりとなり、サイド型部３の内周面による吸盤効果を滅失せしめて、タイヤＴがサイド型部３から容易且つ円滑に離型することができる。
【００２９】
上記の作用効果を適切に奏する観点から、突起６の係合面６ａのタイヤ幅方向に対する角度θは３０°以下であることが好ましい。即ち、この角度が３０°以下であることにより、セクター５の変位に伴ってタイヤ外面部分Ｔｓを変形させうるだけの係合力が良好に確保される。
【００３０】
突起６のタイヤ幅方向の突出量δは、タイヤＴとの係合作用を確保するために０．５ｍｍ以上であることが好ましく、１．５ｍｍ以上であることがより好ましい。また、タイヤ外面部分ＴｓにおけるタイヤＴのゴム厚を確保するべく、突出量δは５．０ｍｍ以下であることが好ましい。更に、突起６のタイヤ径方向に沿った幅Ｗは、突起６の耐久性を高めて欠損を防ぐために２ｍｍ以上が好ましい。
【００３１】
凸要素としては、上記の突起６のように断面三角形状をなすものに限られず、図６に示す突起７のように先端が丸みを帯びた形状でもよい。かかる突起７によれば、係合によるタイヤへのクラックの導入を抑制することができる。突起７の先端の曲率半径としては０．５〜５．０ｍｍが例示される。
【００３２】
図７は、図６に示すセクター５を概念的に示す平面図である。図７では突起７の外形を図示しており、このセクター５では複数個の突起７をセクターの移動方向ＭＤ（タイヤ径方向とは必ずしも一致していない。）に配列させている。これにより、突起７による係合の回数を増やしてタイヤ外面部分Ｔｓを確実に変形させ、タイヤ外面部分Ｔｓをサイド型部３から効果的に剥離できる。なお、この例では突起７を円柱状に設けてあるが、突起７などの係合要素をセクター５の周方向に沿って延設しても構わない。
【００３３】
上記では、係合要素として凸要素である突起６，７を採用した例を示したが、本発明では、凸要素のほか、反タイヤ側に窪んだ凹要素や、凸要素と凹要素との組み合わせを採用することが可能である。従って、例えば図３の突起６に代えて凹要素である溝を設け、該溝にてタイヤと係合させても構わない。溝の場合には、周長が２０ｍｍ以上であることが好ましい。
【００３４】
図８は、係合要素として、凸要素と凹要素との組み合わせを採用した例である。このセクター５では、図３で説明した突起６を設けつつ、その突起６のタイヤ径方向外側に凹要素である溝８を設け、更にそれらをセクター５の移動方向に複数配列している。かかる構成によれば、突起６の高さに溝８の深さが合算されて大きな係合力を発揮することができる。そのうえ、係合力を高めながらも突起６の高さを抑制できるため、タイヤＴのゴム厚を確保でき、耐久性を損なうことがない。
【００３５】
突起６，７及び溝８などの係合要素は、嵌合面５ａからタイヤ径方向外側に４０ｍｍ以内、より好ましくは３０ｍｍ以内となる範囲に設けられていることが好ましい。これにより、セクター５の内周面が係合要素にてタイヤＴと係合した際に、嵌合面５ａに跨ったタイヤ外面部分Ｔｓを変形させ易くなる。なお、嵌合面５ａは、タイヤＴのバットレス部に位置するのが一般的である。
【００３６】
図７の例では、係合要素である突起７をセクター５の周方向に均一に設けており、この場合には、嵌合面５ａに跨ったタイヤ外面部分の変形がセクター５の周上で均一に発現される傾向にある。但し、本発明はこれに限られるものではなく、下記に示すようなバリエーションが挙げられる。
【００３７】
図９に示すセクター５では、係合要素としての突起９を周方向の片側（図９では左側）にのみ配設している。これは、セクター５の内周面とタイヤとの係合の度合がセクター５の周方向両側で互いに異なるように、突起９の個数をセクター５の周方向両側で互いに異ならせている例である。
【００３８】
この場合、セクター５の内周面は図９の左側だけがタイヤと係合するため、嵌合面５ａに跨ったタイヤ外面部分Ｔｓは左側だけが引っ張られ、この円弧状に延びたタイヤ外面部分Ｔｓに時計回りの捩り力が作用する。これにより、タイヤ外面部分Ｔｓの変形量が大きくなり、サイド型部３からの剥離を促進することができる。その結果、タイヤ外面部分Ｔｓの変形をセクター５の周上で均一に発現する場合に比べて、タイヤ外面部分Ｔｓとサイド型部との密着状態をより円滑に解除できる。
【００３９】
図９では、突起９の個数をセクター５の周方向両側で互いに異ならせていたが、これに代えて又は加えて、突起９のサイズ（突起９の幅、長さ又は深さ）を異ならせることが可能である。いずれの場合にも、セクター５の周方向中央を境にして、その両側で係合の度合が互いに異なるように構成される。図１０は、図９に示すセクター５の変形例であり、（Ａ）は周上に不連続な突起１５を設けた例、（Ｂ）は突起１５のタイヤ径方向内側に円柱状の突起１６を設けた例である。
【００４０】
図１１に示すトレッド型部１では、係合要素である突起１７をセクター５毎に異なる個数で設けてあり、それによってセクター５の内周面とタイヤとの係合の度合がタイヤ周方向に沿って順々に小さくなるように構成されている。かかるトレッド型部１では、タイヤ外面部分Ｔｓのサイド型部からの剥離し易さがタイヤ周方向に沿って、詳しくはＲ方向に沿って順々に小さくなる。
【００４１】
上記のトレッド型部１では、各セクター５をタイヤ径方向外側に変位させたときに、嵌合面５ａに跨ったタイヤ外面部分Ｔｓにタイヤ周方向に沿って回転力が作用し、タイヤ外面部分Ｔｓのサイド型部からの剥離がＲ方向に沿って順次に発現される。これは、タイヤ外面部分Ｔｓに対して回転力を局所的に発生させて剥離を促進するものであり、タイヤ全体を回転させるものではなく、その必要も無い。
【００４２】
これによって、環状に延びたタイヤ外面部分Ｔｓを一気に剥離する場合に比べて、タイヤ外面部分Ｔｓとサイド型部との密着状態をより円滑に解除できる。なお、上記の作用効果が得られる範囲であれば、図１１のように突起１７の個数が同じセクター５が局部的に並んでいても構わない。また、係合の度合が最小となるセクターには突起を設けないことも可能である。
【００４３】
図１２に示すトレッド型部１は、図１１の例と同様に、タイヤ周方向に沿ってセクター毎に係合の度合に差（強弱）を付けたものである。即ち、このトレッド型部１では、係合要素である突起１８をセクター５毎に異なる幅で設けてあり、それによってセクター５の内周面とタイヤとの係合の度合がタイヤ周方向に沿って順々に小さくなるように構成されている。図１２の例では、突起１８の幅によって係合力を調整しているが、突起の長さや深さによっても調整可能である。
【００４４】
上述した実施形態では、上方に配置したサイド型部３に対してタイヤの離型性を向上する例を説明したが、下方に配置したサイド型部２に対しても、上記と同様にして離型性を向上できる。その場合には、セクター５のサイド型部２との嵌合面１ｂ付近の内周面に係合要素が設けられる。
【００４５】
本発明では、一対のサイド型部２，３の両方に対して離型性が向上するように構成しても構わない。但し、通常はタイヤが上下のどちらに密着するのか明らかな傾向があるため、問題となる一方のサイド型部に対して離型性を向上させることで十分である。なお、両方のサイド型部２，３に対して、図１１，１２のようにタイヤ周方向に沿って回転力を作用させる場合には、その回転力の方向を上下で同じにすることが好ましい。
【００４６】
本発明は上述した実施形態に何ら限定されるものではなく、本発明の趣旨を逸脱しない範囲内で種々の改良変更が可能である。したがって、各型部の形状や材質、それらの移動機構などは特に限定されず、適宜に変更することが可能である。
【図面の簡単な説明】
【００４７】
【図１】本発明に係るタイヤ成形型の一例を概略的に示す縦断面図
【図２】トレッド型部の平面図
【図３】タイヤ成形型の要部拡大図
【図４】タイヤ成形型の要部拡大図
【図５】タイヤ成形型の要部拡大図
【図６】本発明の別実施形態に係るタイヤ成形型の要部拡大図
【図７】図６に示すセクターを概念的に示す平面図
【図８】本発明の別実施形態に係るタイヤ成形型の要部拡大図
【図９】本発明の別実施形態に係るタイヤ成形型のセクターを示す平面図
【図１０】図９に示すセクターの変形例
【図１１】本発明の別実施形態に係るタイヤ成形型のトレッド型部を示す平面図
【図１２】本発明の別実施形態に係るタイヤ成形型のトレッド型部を示す平面図
【図１３】セグメンテッドモールドの概略構成図
【符号の説明】
【００４８】
１      トレッド型部
２      サイド型部
３      サイド型部
５      セクター
５ａ    嵌合面
６，７，９      突起（係合要素としての凸要素）
８      溝突起（係合要素としての凹要素）
１５〜１８      突起（係合要素としての凸要素）
Ｔ      タイヤ
Ｔｓ    タイヤ外面部分
【図１】
0005175598.tif 000002
【図２】
0005175598.tif 000003
【図３】
0005175598.tif 000004
【図４】
0005175598.tif 000005
【図５】
0005175598.tif 000006
【図６】
0005175598.tif 000007
【図７】
0005175598.tif 000008
【図８】
0005175598.tif 000009
【図９】
0005175598.tif 000010
【図１０】
0005175598.tif 000011
【図１１】
0005175598.tif 000012
【図１２】
0005175598.tif 000013
【図１３】
0005175598.tif 000014